(57)【要約】【課題】  操作パネル部に対する単なるタッチ入力により、種々の操作コマンドを切り換え入力できるようにする。【解決手段】  パネル入力装置１の操作パネル部５はタッチによって操作入力する入力点を多数有する。位置検出部２７は操作パネル部５においてタッチされた入力点の位置座標を検出する。コマンド判定部２９は、位置検出された操作入力点の２点間の異なる間隔組合せを算出するとともに、所定のコマンドと異なる間隔組み合わせを対応付けたデータに当該算出間隔の組合せを当てはめて操作入力の意図するコマンドを判定する。【選択図】  図５
2008204375.tif 000002
【特許請求の範囲】
【請求項１】
タッチによって操作入力する入力点が多数配列された操作パネル部と、
タッチされた前記入力点の位置座標を検出する位置検出部と、
位置検出された前記操作入力点の２点間の間隔を算出するとともに、所定のコマンドと間隔を対応付けたデータに当該算出間隔を当てはめて前記操作入力の意図するコマンドを判定するコマンド判定部と、
を具備することを特徴とするパネル入力装置。
【請求項２】
前記コマンド判定部は、前記操作入力点の２点間の間隔組合せを、所定のコマンドと間隔組合せを対応付けた前記データに当てはめて前記コマンドを判定する請求項１記載のパネル入力装置。
【請求項３】
前記コマンド判定部は、前記操作入力点の２点間の異なる間隔組合せを前記データに当てはめて前記コマンドを判定する請求項２記載のパネル入力装置。
【請求項４】
スタイラスペン本体と、
このスタイラスペン本体に進退動可能に保持された少なくとも３本以上の操作用タッチペン軸であって、突出操作によって前記スタイラスペン本体の片端面から互いの間隔を規制した状態で突出される操作用タッチペン軸と、
を具備することを特徴とするパネル入力用スタイラスペン。
【請求項５】
前記操作用タッチペン軸は、互いに異なる間隔で規制された状態で突出される請求項４記載のパネル入力用スタイラスペン。
【請求項６】
タッチによって操作入力する入力点が多数配列された操作パネル部と、タッチされた前記入力点の座標位置を検出する位置検出部と、位置検出された前記操作入力点の２点間の間隔を算出するとともに、所定のコマンドと間隔を対応付けたデータに当該算出間隔を当てはめて前記操作入力の意図するコマンドを判定するコマンド判定部とを有するパネル入力装置と、
スタイラスペン本体と、このスタイラスペン本体に進退動可能に保持された少なくとも３本以上の操作用タッチペン軸であって、突出操作によって前記スタイラスペン本体の片端面から互いの間隔を規制した状態で突出され、前記操作パネル部へのタッチによって前記操作入力をする操作用タッチペン軸とを有するパネル入力用スタイラスペンと、
を具備することを特徴とするパネル入力システム。
【請求項７】
前記パネル入力装置の前記コマンド判定部は、前記操作用タッチペン軸による前記操作入力点の２点間の間隔組合せを、所定のコマンドと間隔組合せを対応付けた前記データに当てはめて前記コマンドを判定する請求項６記載のパネル入力システム。
【請求項８】
前記パネル入力装置の前記コマンド判定部は、前記操作用タッチペン軸による前記操作入力点の２点間の異なる間隔組合せを前記データに当てはめて前記コマンドを判定する請求項７記載のパネル入力システム。
【請求項９】
前記パネル入力用スタイラスペンの前記操作用タッチペン軸は、互いに異なる間隔で規制された状態で突出される請求項６〜８いずれか１記載のパネル入力システム。
【請求項１０】
タッチによって操作入力する入力点が多数配列された操作パネル部に対し、タッチされた形態によって操作入力の意図するコマンドを判定するパネル入力装置を制御する制御用コンピュータに、
タッチによって前記入力点の前記操作入力を受ける入力処理と、
この入力処理を受けた前記入力点の位置を検出する位置検出処理と、
位置検出された前記操作入力点の２点間の間隔を算出するとともに、所定のコマンドと間隔を対応付けたデータに当該算出間隔を当てはめて前記操作入力の意図するコマンドを判定するコマンド判定処理と、
を実行させることを特徴とするパネル入力処理プログラム。
【請求項１１】
前記コマンド判定処理は、前記操作入力点の２点間の間隔組合せを所定のコマンドと間隔組合せを対応付けた前記データに当てはめて前記コマンド判定処理を実行する請求項１０記載のパネル入力処理プログラム。
【請求項１２】
前記コマンド判定処理は、前記操作入力点の２点間の異なる間隔組合せを前記データに当てはめて前記コマンド判定処理を実行する請求項１１記載のパネル入力処理プログラム。
【発明の詳細な説明】
【技術分野】
【０００１】
本発明はパネル入力装置、パネル入力用スタイラスペン、パネル入力システムおよびパネル入力処理プログラムに係り、例えば携帯用のパーソナルデータ処理端末等に適用して好適するパネル入力装置、パネル入力用スタイラスペン、パネル入力システムおよびパネル入力処理プログラムの改良に関する。
【背景技術】
【０００２】
近年、例えばＰＤＡ（Personal Digital Assistant）と称される携帯用のパーソナルデータ処理端末が提供されているが、このようなパーソナルデータ処理端末では操作コマンドやデータを入力する場合、操作パネル部にパネル入力用スタイラスペンをタッチさせる等して入力していた。
【０００３】
そして、パーソナルデータ処理端末において操作コマンドを変更して種々の操作を切り換え実行する場合、パネル入力用スタイラスペンにて操作コマンドボタンを一々タッチし直して切り換える必要があり、操作が煩雑であった。
【０００４】
そこで、例えば特開平７−２００１３３号公報（特許文献１）等が提案されている。
【０００５】
この特許文献１は、ペンの両端に書き込み用と消去用の太さの異なるペン先を設け、細いペン先でタッチパネルに触れると書き込みモードと判断され、画像メモリにペン先の軌跡を示す画像データが書き込まれて表示装置に表示され、太いペン先でタッチパネルに触れると消去モードと判断され、画像メモリの記憶データのうちペン先の軌跡上のデータが消去される構成を有し、ペンによる入力モードおよび消去モードの入力を可能にして切り換え操作を簡略化したものである。
【０００６】
また、別の構成として特開平８−１３７５９９号公報（特許文献２）が提案されている。
【０００７】
この特許文献２は、表面の接触位置によりデータの入力を受け付けるタッチパネルと、このタッチパネルの表面と先端部を接触させる入力ペンと、この入力ペンの状態を判別する判別手段とを備え、判別手段での判別状態によってタッチパネルで受け付けた入力モード設定が行えるようにした構成を有し、データ入力装置においてペン入力による各種設定を簡単化したものである。
【０００８】
さらに、別の構成として特開平８−３０５８７５号公報（特許文献３）も提案されている。
【０００９】
この特許文献３は、複数点の座標を同時に入力するタブレットと、ペンや指などの座標入力手段を用いて得た複数点の座標から複数の図形の位置と大きさを決めて図形群を表示し、表示した複数の図形から入力座標とは異なる座標を用いて一つの図形を選択するよう構成し、複数の指又はペン状の先端によって同時に複数点の操作ができるようにしたものである。
【００１０】
さらにまた、別の構成として特開平８−３０７９５４号公報（特許文献４）も提案されている。
【００１１】
この特許文献４は、タブレットを指又はペンを用いた操作によって検出回路で接触面積を検出し、接触面積がしきい値より大きい場合、指又はペンとタブレットが接触した点の相対座標に対応する信号が出力され、接触面積がしきい値より小さいか又は等しい場合、絶対座標に対応する信号が出力される構成を有し、接触面積に対応して相対座標と絶対座標を自動的に切り換え可能にして操作を簡略化したものである。
【特許文献１】特開平７−２００１３３号公報
【特許文献２】特開平８−１３７５９９号公報
【特許文献３】特開平８−３０５８７５号公報
【特許文献４】特開平８−３０７９５４号公報
【発明の開示】
【発明が解決しようとする課題】
【００１２】
しかしながら、上述した特許文献１は、ペン先の細さと太さとで機能モードを切り替えるもので、２種類のモード切り替えしか行えないし、特許文献２は、機能モードをペン側からタッチパネル側へ赤外線通信にて切り替えるもので、ペン側にモードに関する情報などを持たせるため、ペン自体に何らかの切り替え情報を持たせる必要があって構成が複雑で簡単に実施し難い難点がある。
【００１３】
また、特許文献３は、複数の座標位置から描画内容等の図形描画に関するもので、複数の座標内容からモードを読み取ることができないし、特許文献４は、接触面積のしきい値から座標計算を行い、面積を判断して計算するもので、複数の座標位置を判断することはできない欠点がある。
【００１４】
このように、操作コマンドを変更して種々の操作を切り換え実行する場合、特許文献１〜４の何れも改良の余地がある。
【００１５】
本発明はそのような課題を解決するためになされたもので、操作パネル部に対し、単なるタッチ入力によって操作コマンドを種々に切り換え入力することが可能なパネル入力装置パネル入力用スタイラスペン、パネル入力システム、およびパネル入力処理プログラムの提供を目的とする。
【課題を解決するための手段】
【００１６】
そのような課題を解決するために本発明に係るパネル入力装置は、タッチによって操作入力する入力点が多数配列された操作パネル部と、タッチされた前記入力点の位置座標を検出する位置検出部と、位置検出された操作入力点の２点間の間隔を算出するとともに、所定のコマンドと間隔を対応付けたデータに当該算出間隔を当てはめてその操作入力の意図するコマンドを判定するコマンド判定部とを具備している。
【００１７】
本発明のパネル入力装置では、上記コマンド判定部が、操作入力点の２点間の間隔組合せを所定のコマンドと間隔組合せを対応付けたデータに当てはめ、そのコマンドを判定する構成も可能である。
【００１８】
本発明のパネル入力装置では、上記コマンド判定部が、操作入力点の２点間の異なる間隔組合せをそのデータに当てはめ、そのコマンドを判定する構成も可能である。
【００１９】
本発明に係るパネル入力用スタイラスペンは、スタイラスペン本体と、このスタイラスペン本体に進退動可能に保持された少なくとも３本以上の操作用タッチペン軸であって、突出操作によってそのスタイラスペン本体の片端面から互いの間隔を規制した状態で突出される操作用タッチペン軸とを具備している。
【００２０】
本発明のパネル入力用スタイラスペンでは、上記操作用タッチペン軸が互いに異なる間隔で規制された状態で突出される構成も可能である。
【００２１】
本発明に係るパネル入力システムは、タッチによって操作入力する入力点が多数配列された操作パネル部と、タッチされた入力点間の座標位置を検出する位置検出部と、位置検出された操作入力点の間隔を算出するとともに、所定のコマンドと間隔を対応付けたデータに当該算出間隔を当てはめてその操作入力の意図するコマンドを判定するコマンド判定部とを有するパネル入力装置と、スタイラスペン本体と、このスタイラスペン本体に進退動可能に保持された少なくとも３本以上の操作用タッチペン軸であって、突出操作によってスタイラスペン本体の片端面から互いの間隔を規制した状態で突出され、上記操作パネル部へのタッチによってその操作入力をする操作用タッチペン軸とを有するパネル入力用スタイラスペンと、を具備している。
【００２２】
本発明のパネル入力システムでは、上記コマンド判定部が、それら操作用タッチペン軸による操作入力点の２点間の間隔組合せを、所定のコマンドと間隔組合せを対応付けたデータに当てはめ、そのコマンドを判定する構成も可能である。
【００２３】
本発明のパネル入力システムでは、上記コマンド判定部が、それら操作用タッチペン軸による操作入力点の２点間の異なる間隔組合せをそのデータに当てはめ、そのコマンドを判定する構成も可能である。
【００２４】
本発明のパネル入力システムでは、上記操作用タッチペン軸が互いに異なる間隔で規制された状態で突出される構成も可能である。
【００２５】
本発明に係るパネル入力処理プログラムは、タッチによって操作入力する入力点が多数配列された操作パネル部対し、タッチされた形態によって操作入力の意図するコマンドを判定するパネル入力装置を制御する制御用コンピュータに、タッチによって前記入力点の前記操作入力を受ける入力処理と、この入力処理を受けた入力点の位置を検出する位置検出処理と、位置検出された操作入力点の間隔を算出するとともに、所定のコマンドと間隔を対応付けたデータに当該算出間隔を当てはめてその操作入力の意図するコマンドを判定するコマンド判定処理とを実行させるものである。
【００２６】
本発明のパネル入力処理プログラムでは、上記コマンド判定処理が、操作入力点の２点間の間隔組合せを所定のコマンドと間隔組合せを対応付けたデータに当てはめ、そのコマンド判定処理を実行する構成も可能である。
【００２７】
本発明のパネル入力処理プログラムでは、上記コマンド判定処理が、操作入力点の２点間の異なる間隔組合せをそのデータに当てはめ、そのコマンド判定処理を実行する構成も可能である。
【発明の効果】
【００２８】
このような本発明に係るパネル入力装置では、タッチによって操作入力する入力点が多数配列された操作パネル部においてタッチされた入力点の位置座標を位置検出部が検出し、コマンド判定部が、位置検出された操作入力点の２点間の間隔を算出するとともに、所定のコマンドと間隔を対応付けたデータに当てはめ、その操作入力の意図するコマンドを判定するから、単に、操作パネル部に対する同時タッチ入力間隔の違いによって操作コマンドを切り換え入力することが可能である。
【００２９】
本発明に係るパネル入力システムでは、パネル入力装置と３本以上の操作用タッチペン軸を有するパネル入力用スタイラスペンとを有し、パネル入力装置が、操作用タッチペン軸のタッチによって操作入力する入力点が多数配列された操作パネル部において、それらタッチ入力点の座標位置を位置検出部で検出し、コマンド判定部にて、位置検出された操作入力点の２点間の間隔を算出するとともに所定のコマンドと間隔とを対応付けたデータに当てはめ、コマンドを判定するから、単に、操作パネル部に対して複数の操作用タッチペン軸の組み合わせタッチ入力により、操作コマンドを切り換え入力することが可能である。
【００３０】
本発明において、上記コマンド判定部が、それら操作用タッチペン軸による操作入力点の２点間の間隔組合せからコマンドを判定する構成では、操作パネル部の入力点のタッチ組み合わせによって複数のコマンド切り換え入力が可能である。
【００３１】
本発明において、上記コマンド判定部が、それら操作用タッチペン軸による操作入力点の２点間の異なる間隔組合せからコマンドを判定する構成では、操作入力点の２点間の異なる間隔組み合わせを介して複数のコマンド切り換え入力が可能である。
【００３２】
本発明において、上記操作用タッチペン軸が、互いに異なる間隔で規制された状態で突出される構成では、パネル入力用スタイラスペンにおける操作用タッチペン軸の突出組み合わせにより、複数のコマンド切り換え入力が可能である。
【発明を実施するための最良の形態】
【００３３】
以下、本発明に係るパネル入力装置、パネル入力用スタイラスペン、パネル入力システムおよびパネル入力処理プログラムの実施の形態を図面を参照して説明する。なお、パネル入力処理プログラムは、それらパネル入力装置、パネル入力システムおよびパネル入力用スタイラスペンを説明する過程で説明する。
【００３４】
図１は本発明に係るパネル入力装置およびパネル入力用スタイラスペンの実施の形態を示す概略構成図であり、これらパネル入力装置およびパネル入力用スタイラスペンによって本発明に係るパネル入力システムが構成される。
【００３５】
図１において、パネル入力装置１は、操作前面側に配置された表示パネル部３およびこの前面に重ねられた操作パネル部５を有する例えばパーソナルデータ処理端末であり、操作パネル部５の周囲に分散配置された複数の操作スイッチ７を有し、パネル入力用スタイラスペン９によって操作パネル部５および操作スイッチ７上をタッチして操作入力を受けて動作するようになっている。なお、操作パネル部５は表示パネル部３に重ねられるので、図１では峻別されていない。
【００３６】
次に、便宜上、パネル入力用スタイラスペン９から説明する。
【００３７】
パネル入力用スタイラスペン９は、図２Ａに示すように、筒型のスタイラスペン本体１１と、このスタイラスペン本体１１内に進退動可能に保持された４本の操作用タッチペン軸１３とを有して形成されている。図２Ａでは４本の操作用タッチペン軸１３のうち２本の一部のみ見え、大部分が隠れている。
【００３８】
４本の操作用タッチペン軸１３は、等しい長さの同様な細長い形状を有し、全て同時に進退動可能に保持されており、図２Ｂに示すように、頂部が押下されるとスタイラスペン本体１１の先端面に配置された貫通孔１５ａ、１５ｂ、１５ｃ、１５ｄから尖鋭状の先端部Ｐ１、Ｐ２、Ｐ３、Ｐ４が等しい長さで突出し、公知の係止手段によって突出状態が保持される一方、係止状態を外すことによってスタイラスペン本体１１内に戻るように付勢されている。
【００３９】
なお、パネル入力用スタイラスペン９における操作用タッチペン軸１３の係止手段や解除手段は、例えば筆記用具等で実施される公知の構成となっている。
【００４０】
スタイラスペン本体１１の先端面に配置された貫通孔１５ａ〜１５ｄは、図３Ａに示すように、互いに異なる距離で分散配置されており、これら貫通１５ａ〜１５ｄから突出する操作用タッチペン軸１３の先端部Ｐ１〜Ｐ４間の距離も、それに応じて互いに異なるように間隔規制された状態となる。
【００４１】
そのため、操作用タッチペン軸１３の先端部Ｐ１〜Ｐ４の頂点間の距離（仮想線分）は距離が異なるから、突出した何れか２個の先端部Ｐ１〜Ｐ４間の距離が各々異なるし、突出した何れか３個の先端部Ｐ１〜Ｐ４間の距離の組み合わせも各々異なるうえ、突出した４個全ての先端部Ｐ１〜Ｐ４間の距離の組み合わせが１個できる。
【００４２】
すなわち、２個の先端部Ｐ１〜Ｐ４間の距離は、突出した２個の先端部Ｐ１〜Ｐ４に応じて、図３Ｂに示すように、これに対応する仮想線分（１−２の距離、１−３の距離、１−４の距離、２−３の距離、２−４の距離、３−４の距離）と、これに対応する間隔（５、１４、９、１、７、３）となり、６通りの組み合わせとなる。ここで図３Ａ中において円の中の数字１〜４は先端部Ｐ１〜Ｐ４に対応する（後述する図４でも同様である。）。
【００４３】
さらに、３個の先端部Ｐ１〜Ｐ４が突出する場合、異なる距離の組み合わせによって、図４Ａ〜Ｄのように４通りの組み合わせとなる。
【００４４】
そのため、操作用タッチペン軸１３の４個の先端部Ｐ１〜Ｐ４が２本〜４本突出すると、全体で１２通りの組み合わせが生じ、後述するように、それら１２通り（パターン）の組み合わせを１２個のコマンドに対応させることが可能となる。
【００４５】
次に、本発明に係るパネル入力装置１を図５を参照して説明する。
【００４６】
図５において、パネル入力装置１は、上述した表示パネル部３、操作パネル部５に加えて、主制御部１７を中心に出力部１９、メモリ２１、表示制御部２３、表示パネル制御部２５、位置検出部２７およびコマンド判定部２９を有して構成されている。
【００４７】
主制御部１７は、出力部１９、メモリ２１、表示制御部２３およびコマンド判定部２９を制御するもので、制御演算機能の主要部をなすＣＰＵやこのＣＰＵの動作ソフトウエアを格納したＲＯＭを有している。なお、主制御部１７および出力部１９の機能は後述する。
【００４８】
メモリ２１は、主制御部１７の動作プログラムを記憶する他、表示パネル部３に表示させる画像データおよびこの表示位置情報の他、上述したようにパネル入力用スタイラスペン９の４本の操作用タッチペン軸１３の先端部Ｐ１〜Ｐ４の突出による距離組み合わせ（１２組）に対応付けた１２個のコマンドをテーブル状にしたコマンドデータを記憶する読み書き可能な記憶部であり、表示制御部２３およびコマンド判定部２９に接続されている。
【００４９】
コマンドとしては、例えば「かな文字」や「英数字」と言った入力文字の切り換えや、印刷や通信と言った機器の動作切り換え等、種々のものがあり、後述する図６中のモードＡ、モードＢ−１〜Ｂ−６、モードＣ−１〜Ｃ−４、モードＤに対応する。
【００５０】
表示制御部２３は、主制御部１７およびメモリ２１からの制御信号、画像データ、この表示位置情報を画像処理して表示パネル部３で実際に表示できる表示画像データを表示パネル制御部２５に出力する機能を有する。
【００５１】
表示パネル制御部２５は、表示制御部２３からの表示画像データに基づき、表示パネル部３の表示動作を制御する機能を有する。
【００５２】
表示パネル部３は、図１に示したように、操作面を外部に向けて配置された公知の例えば液晶ディスプレイであり、表示パネル制御部２５によって表示制御されて画像が表示される。
【００５３】
表示パネル部３には、図１に示したように、これと同形状の操作パネル部５が外部に向けて重ねるように配置されている。
【００５４】
操作パネル部５は、例えば透過性シートに電極を配置した静電形タッチスイッチを入力点とし、これら入力点が平面的に縦横方向に多数配列されて形成されており、パネル入力用スタイラスペン９の操作用タッチペン軸１３の先端部Ｐ１〜Ｐ４によってタッチされた入力点がオン動作し、縦方向および横方向からオン信号を出力するものであり、パネル入力用スタイラスペン９によって操作入力を受付ける公知の構成および機能を有し、位置検出部２７に接続されている。
【００５５】
位置検出部２７は、操作パネル部５上でパネル入力用スタイラスペン９によってタッチされてオン動作した入力点から出力されたオン信号に基づき、操作パネル部５上のオン動作した入力点毎の座標位置をオン動作した入力点数分だけ検出するものであり、検出位置情報をコマンド判定部２９に出力する機能を有している。
【００５６】
コマンド判定部２９は、主制御部１７の制御の下、オン動作した入力点間の間隔（入力点間の仮想線分）を算出し、それら仮想線の長さおよび本数の組み合わせをメモリ２１に予め記憶されたコマンドデータに当てはめ、該当するコマンドを判定し、当該コマンドを操作入力の意図するコマンドとして主制御部１７に出力する機能を有している。
【００５７】
すなわち、コマンド判定部２９は、パネル入力用スタイラスペン９におけるタッチした操作用タッチペン軸１３の突出組み合わせから、操作入力の意図するコマンドを読み取る機能を有している。
【００５８】
主制御部１７は、表示制御部２３およびメモリ２１を制御し、メモリ２１の画像データを表示制御部２３に出力制御して表示パネル部３に表示制御するとともに、コマンド判定部２９からのコマンドを出力部１９に出力する機能の他、パーソナルデータ処理端末としての一般的機能を有している。
【００５９】
主制御部１７は、コマンド判定部２９から検出位置情報を取得し、パネル入力用スタイラスペン９における操作用タッチペン軸１３のタッチした先端部Ｐ１〜Ｐ４上の中心点を求め、その位置を入力座標とし、この入力座標にコマンド処理を実行する機能を有している。
【００６０】
例えば、２本の操作用タッチペン軸１３では２点を結ぶ線の中心、３本なら三角形の中心、４本なら四角の中心が入力座標となる。
【００６１】
出力部１９は、判定されたコマンドを実際に処理するために装置本体内外に出力する機能を有する公知のインターフェースである。
【００６２】
次に、本発明に係るパネル入力システムの動作を簡単に説明する。
【００６３】
主制御部１７が、表示制御部２３およびメモリ２１を制御し、メモリ２１の画像データを表示制御部２３に出力制御し、表示制御部２３がその画像データを表示パネル部３に表示可能なように画像制御し、これに基づき表示パネル制御部２５が表示パネル部３を表示制御し、表示パネル部３にその画像が表示される。
【００６４】
一方、パネル入力用スタイラスペン９における操作用タッチペン軸１３を２本から４本の間で選択して突出させ、先端部Ｐ１〜Ｐ４を操作パネル部５上に同時タッチすると、操作パネル部５においてタッチされた複数の入力点がオン動作し、オン動作する入力点毎のオン信号を縦方向および横方向から位置検出部２７へ出力する。
【００６５】
位置検出部２７では、それらオン信号に基づき、操作パネル部５上のオン動作した入力点毎の座標位置をオン動作した入力点数分だけ検出し、検出位置情報をコマンド判定部２９に出力する。
【００６６】
コマンド判定部２９は、図６のフローチャートに示すように、ステップＳ１にてオン動作した入力点（入力座標）の数を算出し、ステップＳ２にてそれら入力点の数を判別する。
【００６７】
入力点の数が１個であればステップＳ３に移ってモードＡに切り換え動作してステップＳ１９に移り、入力点の数が２個であればステップＳ４に移り、入力点の数が３個であればステップＳ５に移り、入力点の数が４個であればステップＳ６に移る。
【００６８】
ステップＳ４では入力点間の仮想線分の間隔（距離）を算出し、ステップＳ７にて想線分の距離に応じてステップＳ８〜Ｓ１３に移り、ステップＳ８〜１３にてモードＢ−１〜Ｂ−６への切り換え処理を実行してステップＳ１９に移り、ステップＳ５では入力点間の各仮想線分の間隔を算出し、ステップＳ１４にて異なる仮想線分の組み合わせに応じてステップＳ１５〜Ｓ１８に移り、ステップＳ１５〜１８にてモードＣ−１〜Ｃ−４への切り換え処理を実行してステップＳ１９に移り、ステップＳ６ではモードＤへの切り換え処理を実行してステップＳ１９に移る。
【００６９】
ステップＳ１９では、パネル入力用スタイラスペン９でタッチした先端部Ｐ１〜Ｐ４の中心点の座標を計算し、ステップＳ２０では、現在モードでその算出された入力座標に対して所定のモード処理を実行して終了する。
【００７０】
このように本発明のパネル入力装置１は、タッチによって操作入力する入力点が多数配列された操作パネル部５と、この操作パネル部５においてタッチされた入力点の位置座標を検出する位置検出部２７と、位置検出された操作入力点の２点間の異なる間隔組合せを算出するとともに、所定のコマンドと異なる間隔組み合わせと対応付けたデータに当該算出間隔の組合せを当てはめ、操作入力の意図するコマンドを判定するコマンド判定部２９とを具備している。
【００７１】
そのため、１本のパネル入力用スタイラスペン９を用いて操作パネル部５に対する同時タッチ入力数を変更することにより、同時にタッチした入力点間の仮想線分の長さおよびこの数の組み合わせを読み取り、対応する操作コマンドに切り換えることが可能である。
【００７２】
しかも、パネル入力用スタイラスペン９における４本の操作用タッチペン軸１３を選択するだけで、１２個と言った多数の組み合わせが実現し、これに対応した操作コマンドの切り換え入力が可能である。
【００７３】
本発明のパネル入力装置１においては、操作パネル部５において同時にタッチする数は任意であり、タッチ点が２個以上であれば仮想線分の長さ長短から操作コマンドとの判別が可能である。
【００７４】
しかも、タッチ点が３個以上であれば仮想線分の組み合わせから操作コマンドとの判別が可能であるし、間隔（距離）の異なる仮想線分の組み合によれば、より多数の操作コマンドとの判別が可能である。
【００７５】
また、本発明のパネル入力用スタイラスペン９は、スタイラスペン本体１１と、このスタイラスペン本体１１に進退動可能に保持された少なくとも３本以上の操作用タッチペン軸１３であって、そのスタイラスペン本体１１の片端面から互いに異なる間隔で規制した突出状態で維持可能に保持された操作用タッチペン軸１３とを具備してなるから、複数の操作用タッチペン軸１３を選択するだけで、複数の仮想線分組み合わせが可能となり、例えば１２個と言った多数の操作コマンドの切り換えに対応させることが可能である。
【００７６】
本発明のパネル入力用スタイラスペン９では、必ずしも操作用タッチペン軸１３を互いに異なる間隔で突出させる必要はないが、３本以上の操作用タッチペン軸１３を互いに異なる間隔で規制した突出状態で突出させる構成にすれば、多数の組み合わせを実現可能である。
【００７７】
そして、本発明に係るパネル入力システムでは、上述したパネル入力装置１およびパネル入力用スタイラスペン９を具備し、上述した効果に加えて、パネル入力装置が判定する２点の間隔に、操作用タッチペン軸１３の互いの間隔が対応しているから、簡単な操作で、多数の操作コマンドを入力することが可能である。
【００７８】
ところで、本発明に係るパネル入力処理プログラムにつき言及すれば、タッチによって操作入力する入力点が多数配列された操作パネル部５に対し、タッチされた形態によって操作入力の意図するコマンドを判定するパネル入力装置１を制御する制御用コンピュータに、タッチによって入力点の操作入力を受ける入力処理と、この入力処理を受けた入力点の位置を検出する位置検出処理と、位置検出された操作入力点の２点間の間隔を算出するとともに、所定のコマンドと間隔を対応付けたデータに当該算出間隔を当てはめて操作入力の意図するコマンドを判定するコマンド判定処理とを実行させる構成としたから、上述したパネル入力装置１およびパネル入力用スタイラスペン９と同様の効果を得ることが可能である。
【００７９】
このような本発明に係るパネル入力処理プログラムにおいて、そのコマンド判定処理が、操作入力点の２点間の間隔組合せを検出して所定のコマンドと間隔組合せとを対応付けたデータに当てはめ、操作入力の意図するコマンド判定処理を実行する構成、そのコマンド判定処理が、操作入力点の２点間の異なる間隔組合せを検出して操作入力の意図するコマンド判定処理を実行する構成も可能であり、上述したパネル入力装置やパネル入力システムと同様な効果を得ることが可能である。
【００８０】
なお、本発明に用いる操作パネル部５は、上述した静電形タッチスイッチに限定されず、例えば静電容量式、感圧式等の公知の構成で実施可能である。
【００８１】
また、本発明は、上述したパーソナルデータ処理端末に限らず、タッチパネルを有する携帯型ゲーム機、ＣＡＤ用のデジタイザ、絵画用のタブレット等に広く応用可能である。
【図面の簡単な説明】
【００８２】
【図１】本発明に係るパネル入力システムの実施の形態を示す概略構成図である。
【図２】本発明に係るパネル入力用スタイラスペンの実施の形態を示す概略構成図である。
【図３】本発明に係るパネル入力用スタイラスペンの動作を説明する図である。
【図４】本発明に係るパネル入力用スタイラスペンの動作を説明する図である。
【図５】本発明に係るパネル入力装置の実施の形態を示すブロック図である。
【図６】本発明に係るパネル入力装置の動作を説明するフローチャートである。
【符号の説明】
【００８３】
１  パネル入力装置
３  表示パネル部
５  操作パネル部
７  操作スイッチ
９  パネル入力用スタイラスペン
１１  スタイラスペン本体
１３  操作用タッチペン軸
１５ａ、１５ｂ、１５ｃ、１５ｄ  貫通孔
１７  主制御部
１９  出力部
２１  メモリ
２３  表示制御部
２５  表示パネル制御部
２７  位置検出部
２９  コマンド判定部
Ｐ１、Ｐ２、Ｐ３、Ｐ４  先端部
【図１】
2008204375.tif 000003
【図２】
2008204375.tif 000004
【図３】
2008204375.tif 000005
【図４】
2008204375.tif 000006
【図５】
2008204375.tif 000007
【図６】
2008204375.tif 000008